(57)【要約】【課題】  光ディスクのクランプ装置を提供することで光ディスクを容易にロード、アンロードできるようにする。【解決手段】  反磁性部材、光ディスクをサポートする回転盤、前記反磁性部材と前記回転盤の間に設置された磁石、および前記回転盤の上に設置され、前記磁石をサポートするクランプ部材、前記回転盤が回転する時、前記反磁性部材と前記磁石の間に反発力が生じ、前記磁石を前記クランプ部材へ押し出すことで前記光ディスクを固定するのを含む光ディスクのクランプ装置。【選択図】      図１
2004220761.tif 000002
【特許請求の範囲】
【請求項１】
反磁性部材、
光ディスクをサポートする回転盤、
前記反磁性部材と前記回転盤の間に設置された磁石、および
前記回転盤の上に設置され、前記磁石をサポートするクランプ部材を含み、
前記回転盤が回転する時、前記反磁性部材と前記磁石の間に反発力が生じ、
前記磁石を前記クランプ部材へ押し出すことで前記光ディスクを固定する光ディスクのクランプ装置。
【請求項２】
前記回転盤は前記クランプ部材をサポートするためのポジショニングハブを含む請求項１に記載の光ディスクのクランプ装置。
【請求項３】
前記ポジショニングハブに開孔が設けられ、クランプ部材は鋼球であり、前記鋼球は前記磁石と前記開孔の間で回転によって制限され、前記反発力は回転盤が回転する時、前記反磁性部材と前記磁石の間に生じ、前記鋼球の一部を前記開孔の方へ押し出すことで前記光ディスクを固定する請求項２に記載の光ディスクのクランプ装置。
【請求項４】
前記開孔の孔径は、前記鋼球の直径より小さく、前記鋼球の一部だけが前記開孔から突出する請求項３に記載の光ディスクのクランプ装置。
【請求項５】
軸とスナップリングを更に含み、前記軸は前記磁石と前記回転盤を穿通し、前記スナップリングを前記軸に接続することで前記磁石を制止する請求項１に記載の光ディスクのクランプ装置。
【請求項６】
前記軸に前記スナップリングがはめ込める溝を有する請求項５に記載の光ディスクのクランプ装置。
【請求項７】
前記クランプ部材は弾性部材よりなり、前記回転盤が回転する時、前記反磁性部材と前記磁石の間で前記反発力が生じ、前記弾性部材が変形することで前記光ディスクを固定する請求項２に記載の光ディスクのクランプ装置。
【請求項８】
前記反磁性部材はアルミニウム部材である請求項１に記載の光ディスクのクランプ装置。
【請求項９】
前記回転盤は前記光ディスクをサポートするパッドを更に含む請求項１に記載の光ディスクのクランプ装置。
【請求項１０】
磁石、
光ディスクをサポートする回転盤、
前記磁石と前記回転盤の間に設置された反磁性部材、および
前記回転盤の上に設置され前記反磁性部材をサポートするクランプ部材を含み、前記回転盤が回転する時、前記反磁性部材と前記磁石の間に反発力が生じ、前記磁石を前記クランプ部材へ押し出すことで前記光ディスクを固定する光ディスクのクランプ装置。
【請求項１１】
前記回転盤は前記クランプ部材をサポートするためのポジションハブを含む請求項１０に記載の光ディスクのクランプ装置。
【請求項１２】
前記ポジショニングハブに開孔が設けられ、前記クランプ部材は鋼球であり、前記鋼球は前記反磁性部材と前記開孔の間で回転によって制限され、前記反発力は回転盤が回転する時、前記反磁性部材と前記磁石の間に生じ、前記鋼球の一部を前記開孔の方へ押し出すことで前記光ディスクを固定する請求項２に記載の光ディスクのクランプ装置。
【請求項１３】
前記開孔の孔径は、前記鋼球の直径より小さく、前記鋼球の一部だけが前記開孔から突出する請求項１２に記載の光ディスクのクランプ装置。
【請求項１４】
軸とスナップリングを更に含み、前記軸は前記反磁性部材と前記回転盤を穿通し、前記スナップリングを前記軸に接続することで前記反磁性部材を制止する請求項１０に記載の光ディスクのクランプ装置。
【請求項１５】
前記軸に前記スナップリングがはめ込める溝を有する請求項１４に記載の光ディスクのクランプ装置。
【請求項１６】
前記クランプ部材は弾性部材よりなり、前記回転盤が回転する時、前記反磁性部材と前記磁石の間で前記反発力が生じ、前記弾性部材が変形することで前記光ディスクを固定する請求項１１に記載の光ディスクのクランプ装置。
【請求項１７】
前記反磁性部材はアルミニウム部材である請求項１０に記載の光ディスクのクランプ装置。
【請求項１８】
前記回転盤は前記光ディスクをサポートするパッドを更に含む請求項１０に記載の光ディスクのクランプ装置。
【発明の詳細な説明】
【技術分野】
【０００１】
本発明は、光ディスクのクランプ装置に関し、特に、光ディスクを容易にロード、アンロードできるようにするための光ディスクのクランプ装置に関するものである。
【背景技術】
【０００２】
現在、光ディスクドライブの光ディスクのクランプ装置は、磁力で回転盤からディスクを引き付けたり引き離したりするものである。電子装置のサイズが絶え間なく減少されてきたことから、上述のクランプ装置は、特に薄型の光ディスクドライブには不適当になってきた。したがって、その他の複数の伸縮自在の突出式クランプを備えた回転可能なロックハブがＤＶＤプレーヤーまたは薄型光ディスクドライブに要求されるようになった。
【０００３】
実際には、上述の装置を用いると、ディスクをロード、またはアンロードするのは難しく、ディスクに変形やダメージを引き起こすことになる。ディスクへ与える不適当な力は、更に光ディスクドライブのモーターにダメージを加える可能性がある。更に、現在のＤＶＤは二層の構造を有しており、ディスクのローディング、アンローディング中、層はクランプ装置のクランプ力と引き込み力によって分かれる可能性がある。
【発明の開示】
【発明が解決しようとする課題】
【０００４】
本発明の課題は、上述の問題を解決する光ディスクのクランプ装置を提供することにある。光ディスクのクランプ装置は、クランプ装置が回転する時、反磁性部材と磁石の間で引き起こされる反発力を有し、反発力がクランプ部材を押し出すことで光ディスクを固定する。クランプ装置が回転を止める時、反発力はなくなり、光ディスクに加えられたクランプ力は減少される。
【０００５】
本発明の原則は、電磁誘導、および反磁性部材と磁石の間の相互作用である。反磁性部材と磁石が静止している時、明白な活動は検知されないが、反磁性部材と磁石が互いに作用して移動または回転した時、反発力が引き起こされる。反発力は、ファラデーの法則(Faraday’s Law)、レンツの法則(Lenz’s Law)および反磁性部材の反磁性現象による。例えば、磁石は、大きな保磁力と大きな磁化を有する高エネルギー製品の異方性磁石で、また、反磁性部材はアルミニウムよりなる。
【０００６】
本発明の構造によって、反発力はアキシアル方向にのみ作用されるため、その反発力は回転速度にもモーターの力にも影響しない。更に、本発明はモーターの安定性と光ディスクドライブのクランプ装置を改善する。
【課題を解決するための手段】
【０００７】
本発明は、反磁性部材、光ディスクをサポートする回転盤、前記反磁性部材と前記回転盤の間に設置された磁石、および前記回転盤の上に設置され、前記磁石をサポートするクランプ部材を含み、前記回転盤が回転する時、前記反磁性部材と前記磁石の間に反発力が生じ、前記磁石を前記クランプ部材へ押し出すことで前記光ディスクを固定するのを含む光ディスクのクランプ装置を提供する。
【０００８】
本発明は更に、磁石、光ディスクをサポートする回転盤、前記磁石と前記回転盤の間に設置された反磁性部材、および前記回転盤の上に設置され前記反磁性部材をサポートするクランプ部材を含み、前記回転盤が回転する時、前記反磁性部材と前記磁石の間に反発力が生じ、前記磁石を前記クランプ部材へ押し出すことで前記光ディスクを固定する光ディスクのクランプ装置を提供する。
【発明の効果】
【０００９】
本発明の光ディスクのクランプ装置によると、ディスクに変形やダメージを引き起こしたり、光ディスクドライブのモーターにダメージを加えることをなくすことができるのと、力の利用を必要とせずに光ディスクを容易にロード、アンロードできるようになる。
【発明を実施するための最良の形態】
【００１０】
本発明についての目的、特徴、長所が一層明確に理解されるよう、以下に実施形態を例示し、図面を参照にしながら、詳細に説明する。
【実施例１】
【００１１】
図１、図２、図３と図４は、反磁性部材１１、回転盤１２、磁石１３、クランプ部材１４、軸１５、スナップリング１６を含む光ディスクのクランプ装置を示している。本実施例では、反磁性部材１１はアルミニウム部材で、例えば、反磁性部材１１は光ディスク装置のアルミニウムカバーで、クランプ部材１４は鋼球である。回転盤１２は光ディスクドライブに設置され、軸１５は回転盤１２に固定される。軸１５は、光ディスクドライブのモーターによって回転され、回転盤１２は軸１５と共に回転する。
【００１２】
回転盤１２は光ディスク１をサポートする。磁石１３は反磁性部材１１と回転盤１２の間に設置され、クランプ部材１４は、回転盤１２の上に設置され、磁石１３をサポートする。回転盤１２は、ポジショニングハブ１７を用い、クランプ部材１４を抑制しサポートする。磁石１３の中心は第１孔１３１で、回転盤１２の中心は第２孔１２１である。軸１５は回転盤１２を通って突き出るように、第１孔１３１と第２孔１２１を穿通する。スナップリング１６は、磁石１３を制止するために軸１５に接続される。
【００１３】
図２は、回転盤１２の上面図を示している。ポジショニングハブ１７の周りに３つの開孔１７２が設置されている。開孔１７２の孔径はクランプ部材１４（鋼球）の直径より小さい。よって、クランプ部材１４は、回転盤１２と磁石１３の間で制限されることができ、開孔１７２に沿って外側へ押され、開孔１７２の方へ部分的に突出する。磁石１３をサポートするための開孔１７２に含まれているクランプ部材１４の位置は図２の点線で示されている。また、光ディスク１をクランプするためにクランプ部材１４の一部が開孔１７２から突出している位置は、図１ｂの実線で示されている。
【００１４】
図３、図４は、回転盤１２でロードされた光ディスク１を示している。クランプ部材は、クランプ部材１４が磁石１３の近くに留まるように、磁石によって引き付けられる。よって、光ディスク１は、力を加えることなく回転盤１２に設置することができる。この時点では、クランプ部材１４は上述のように開孔１７２に位置している。更に、光ディスク１と回転盤１２の間の衝撃を防ぐために、パッド１８は光ディスク１をサポートするために回転盤１２の周囲に設置される。
【００１５】
回転盤１２が軸１５を通して回転する時、磁石１３は回転盤１２と共に回転する。よって、反発力が磁石１３と反磁性部材１１の間に生じる。反発力の方向は図４で矢印によって示している。反発力はクランプ部材１４に向けて磁石１３を押し出す。その後、クランプ部材１４は、光ディスク１を固定できるように、開孔１７２の方へ部分的に突出するまで開孔１７２に向けて移動する。回転盤１２が回転を止めた時、磁石１３と反磁性部材１１の間の反発力はなくなる。その後、クランプ部材１４は磁石１３によって引きつけられ、光ディスク１でクランプ部材１４によって引き起こされたクランプ力もまたなくなる。したがって、光ディスク１は力の利用を必要とせずに容易にアンロードできるようになる。
【００１６】
もう一つの実施例で、反磁性部材１１と磁石１３の配置を交換することができ、同じ効果を達成することも可能である。
【実施例２】
【００１７】
図５、図６と図７は、反磁性部材２１、回転盤２２、磁石２３、クランプ部材２４、そして軸２５を含むもう一つのタイプの光ディスクのクランプ装置を示している。本実施例では、反磁性部材２１はアルミニウムで、例えば、反磁性部材２１は光ディスクドライブのアルミニウムカバーで、クランプ部材２４はゴムといった弾性部材である。回転盤２２は光ディスクドライブに設置され、軸２５は回転盤２２に固定される。軸２５は、光ディスクドライブのモーターによって回転され、回転盤２２は軸２５と共に回転する。
【００１８】
回転盤２２は光ディスク２をサポートする。磁石２３は反磁性部材２１と回転盤２２の間に設置され、クランプ部材２４は、回転盤２２の上に設置され、磁石２３をサポートする。回転盤２２は、ポジショニングハブ２７を用い、クランプ部材２４を抑制しサポートする。軸２５は、回転盤２２に固定し、軸の端は回転盤２２を通って突出する。磁石２３とクランプ部材２４はポジショニングハブ２７に固定されている。
【００１９】
図６、図７は、力を加えずに回転盤２２に置かれた光ディスク２を示している。更に、回転盤２２の衝撃から光ディスク２を防ぐために、パッド２８は光ディスク２をサポートするために回転盤２２の周囲に設置される。
回転盤２２が回転する時、磁石２３は回転盤２２と共に回転する。よって、反発力が磁石２３と反磁性部材２１の間に生じる。反発力の方向は７で矢印によって示している。反発力はクランプ部材２４に向けて磁石２３を押し出し、クランプ部材２４を変形させ、光ディスク２を固定する。回転盤２２が回転を止めた時、磁石２３と反磁性部材２１の間の反発力はなくなる。クランプ部材２４はその後、元のフォームに戻り、光ディスク２のクランプ力もまたなくなる。したがって、光ディスク２は力の利用を必要とせずに容易にアンロードできるようになる。
【００２０】
もう一つの実施例で、反磁性部材２１と磁石２３の配置を交換することができ、同じ効果を達成することも可能である。
【００２１】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２２】
【図１】本発明に基づいた光ディスクのクランプ装置の概略図である。
【図２】本発明に基づいた光ディスクのクランプ装置の上面図である。
【図３】図１のＩＣ−ＩＣ’線に沿った断面図である。
【図４】図１のＩＣ−ＩＣ’線に沿った断面図である。
【図５】実施例２の光ディスククランプ装置の概略図である。
【図６】図５のＩＩＢ−ＩＩＢ’線に沿った断面図である。
【図７】図５のＩＩＢ−ＩＩＢ’線に沿った断面図である。
【符号の説明】
【００２３】
１、２  光ディスク
１１、２１  反磁性部材
１２、２２  回転盤
１２１  第２孔
１３、２３  磁石
１３１  第１孔
１４、２４  クランプ部材
１５、２５  軸
１６  スナップリング
１７、２７  ポジショニングハブ
１７２  開孔
１８、２８  パッド
【図１】
2004220761.tif 000003
【図２】
2004220761.tif 000004
【図３】
2004220761.tif 000005
【図４】
2004220761.tif 000006
【図５】
2004220761.tif 000007
【図６】
2004220761.tif 000008
【図７】
2004220761.tif 000009